(57)【要約】【課題】体験結果に従って、個々の体験者毎に最適な模擬運転を提供する。【解決手段】判定部はシナリオの運転項目を実行したことによる模擬状況に応じた操作者の体験結果を判定する。表示部において体験結果を表示する。判定部の判定結果に従って、解説部において解説内容を作成し、解説が必要な場合、表示部は解説内容を表示する。判定部の判定結果が解説しないである場合、制御部は同一運転項目のシナリオを再度実行させる。次に、シナリオを実行するときは、個人毎の体験結果によりシナリオが選択され、制御部により実行される。【選択図】  図1
2006285138.tif 000002
【特許請求の範囲】
【請求項１】
シナリオに従って仮想進行する模擬運転装置において、
コンピュータにより処理するに際し、
前回までの体験結果に基づいて定まるシナリオの運転項目を実行するシナリオ実行過程と、
模擬状況に応じた操作者の体験結果を表示する結果表示過程と、
前記体験結果を判定する判定過程と、
前記判定過程の判定に従って、体験結果を解説する解説過程と、
又は、前記判定過程の判定に従って、同一運転項目を再度実行するシナリオ再実行過程とからなることを特徴とする模擬運転の進行方法。
【請求項２】
シナリオに従って仮想進行する模擬運転装置であって、
シナリオの運転項目を実行したことによる模擬状況に応じた操作者の体験結果を判定する判定部と、
前記判定部の判定に従って、体験結果による解説内容を作成する解説部と、
体験結果を表示し、前記判定部の判定に従って解説が必要な場合に解説内容を表示する表示部と、
前回までの体験結果に基づいて定まるシナリオの運転項目を実行するとともに前記判定部の判定に従って解説をしない場合に同一運転項目を再度実行する制御部とからなることを特徴とする模擬運転の進行装置。
【発明の詳細な説明】
【技術分野】
【０００１】
本発明は、
コンピュータにより制御される模擬運転装置に関し、操作者毎に最適の模擬運転の項目を提供する進行方法及びその装置に関するものである。
【背景技術】
【０００２】
模擬運転装置により、予めプログラムされたシナリオに従って、所定の仮想情景内を運転操作させ、操作者の運転技量を向上させたり安全運転の意識を向上させたり更に種々の教育や研究目的のための事象を発生し、その対処を体験、試験するものがある。
従来、シナリオ内の環境は何度走行しても同一のコース内においては固定されたものであったため、複数人による学習又は、同一人よる複数回の学習では単調なシナリオしか提供することができなかった。
【０００３】
模擬運転装置は操作者の前方に表示装置を備え、模擬しようとする状況及びこれに応じて操作者の運転装置機器の操作に応じて表示内容を変化させる。装置内の制御部は、模擬した状況と、そのタイミングにおける操作者による運転装置機器に対する操作の適切さを判断している。
図３は、従来の模擬運転装置の進行方法を示すフロー図であり、まず、はじめのシナリオを体験し（ステップＳＴ３０１）、図示しない前記制御部が判定した体験内容の結果を表示する（ステップＳＴ３０２）。その後、また別の次のシナリオを体験し（ステップＳＴ３０３）、体験内容の結果を表示する（ステップＳＴ３０４）…。このように単純に決まった処理が一律に実施されるだけであり、体験者毎の操作の巧拙によった最適な模擬運転例えば自動車教習ができなかった。
【発明の開示】
【発明が解決しようとする課題】
【０００４】
本発明が解決しようとする課題は、複数人による学習又は、同一人よる複数回の学習において、体験結果に従って、個々の体験者毎に最適な模擬運転を提供することにある。
【課題を解決するための手段】
【０００５】
請求項１に係る模擬運転の進行方法は、シナリオに従って仮想進行する模擬運転装置において、コンピュータにより処理するに際し、前回までの体験結果に基づいて定まるシナリオの運転項目を実行するシナリオ実行過程と、模擬状況に応じた操作者の体験結果を表示する結果表示過程と、前記体験結果を判定する判定過程と、前記判定過程の判定に従って、体験結果を解説する解説過程と、又は、前記判定過程の判定に従って、同一運転項目を再度実行するシナリオ再実行過程とからなるものである。
【０００６】
請求項２に係る模擬運転装置は、シナリオに従って仮想進行する模擬運転装置であって、シナリオの運転項目を実行したことによる模擬状況に応じた操作者の体験結果を判定する判定部と、前記判定部の判定に従って、体験結果による解説内容を作成する解説部と、体験結果を表示し、前記判定部の判定に従って解説が必要な場合に解説内容を表示する表示部と、前回までの体験結果に基づいて定まるシナリオの運転項目を実行するとともに前記判定部の判定に従って解説をしない場合に同一運転項目を再度実行する制御部とからなることを特徴とするものである。
【発明の効果】
【０００７】
請求項１に係る模擬運転の進行方法は、前回までの体験結果に基づいて定まるシナリオの運転項目を実行することができ、実行の後、判定過程の判定に従って、解説過程において体験結果を解説するか、又はシナリオ再実行過程において同一運転項目を再度実行するか、操作者の操作に応じて最適な模擬運転の項目を実行できる。
【０００８】
請求項２に係る模擬運転の進行装置は、判定部はシナリオの運転項目を実行したことによる模擬状況に応じた操作者の体験結果を判定する。表示部において体験結果を表示する。判定部の判定結果に従って、解説部において解説内容を作成し、解説が必要な場合、表示部は解説内容を表示する。判定部の判定結果が解説しないである場合、制御部は同一運転項目のシナリオを再度実行させる。次に、シナリオを実行するときは、個人毎の体験結果によりシナリオが選択され、制御部により実行され、操作者の操作に応じて最適な模擬運転の項目を実行できる。
【実施例１】
【０００９】
図１は本発明に係る模擬運転の進行装置の機能ブロック図であり、
１０１は操作者が操作する模擬運転機器である。１０２は判定部であり、シナリオの運転項目を実行し、操作者が前記模擬運転機器１０１を操作することにより発生する操作情報を受けて、シナリオの所定時点の体験結果（ブレーキ操作、アクセル操作、ステアリング操作、方向指示操作等の有無、タイミング等）を判定するとともに後述するように解説と再度の同一運転項目実行を判定する。１０３は、前記判定部１０２の判定に従って、判定結果による解説内容を作成する解説部、１０４は、体験結果を表示し、前記判定部１０２の判定に従って解説が必要な場合に、解説部１０３が作成した解説内容を表示する図示しない模擬運転装置の表示部、１０５は、前回までの体験結果に基づいて定まるシナリオの運転項目を実行するとともに前記判定部１０２の判定に従って解説をしない場合に同一運転項目を再度実行し、装置全体を制御する制御部、１０６は、前記判定部１０２が判定した操作者毎の体験結果を記憶する体験結果記憶部、１０７は、教官卓である。
【００１０】
次に、このように構成された模擬運転装置の進行装置の動作について説明する。
図２は、本実施例の動作を説明するフローチャートである。
教官は教官卓を制御して、操作者が体験するシナリオを選択し、このプログラムを開始する。最初は、前回の体験結果が無く、それに基づき当該シナリオの初めの運転項目Ａから実行開始する（ステップＳＴ１０１）。
操作者はシナリオの模擬状況に応じて運転操作をする。このとき、模擬運転機器１０１の操作情報は、判定部１０２に入力され、そのシナリオの所定時点の基準データと比較し、その操作の反応レベルを体験結果として、体験結果記録部１０６に順次記録する。
所定の段階までいくと、表示部１０４は、体験結果記録部１０６に記録した体験結果を表示する（ステップＳＴ１０２）とともに、判定部１０２は、解説するか、又は、同一運転項目Ａのシナリオを再度実行するかを判定する（ステップＳＴ１０３）。
判定部１０２が、解説すると判定した場合は、解説部１０３は前記体験結果記録部１０６に記録した体験結果を解析して、体験結果に従った所定の解説文を作成する。表示部１０４は、前記解説部１０３で作成した解説内容を表示する（ステップＳＴ１０４）。
判定部１０２が、同一運転項目を再度実行すると判定した場合は、制御部１０５は同一運転項目Ａを再度実行する（ステップＳＴ１０５）。
運転項目Ａについて終了すると、次の運転項目Ｂを実行開始する（ステップＳＴ１０６）。このとき、前回の運転項目Ａについての運転結果のレベルに応じて、次の運転項目Ｂを数種の予め定めたものから最適なものを自動的に選択するようにしておく。
操作者はシナリオの模擬状況に応じて運転操作をする。このとき、模擬運転機器１０１の操作情報は、判定部１０２に入力され、そのシナリオの所定時点の基準データと比較し、その操作の反応レベルを体験結果として、前回の運転項目Ａに追加して順次体験結果記録部１０６に記録する。
所定の段階までいくと、表示部１０４は、体験結果記録部１０６に記録した体験結果を、前回の運転項目Ａについての体験結果を踏まえて、表示する（ステップＳＴ１０７）とともに、判定部１０２は、解説するか、又は、同一運転項目Ｂのシナリオを再度実行するかを判定する（ステップＳＴ１０８）。
判定部１０２が、解説すると判定した場合は、解説部１０３は前記体験結果記録部１０６に記録した体験結果を解析して、体験結果に従った所定の解説文を作成する。表示部１０４は、前記解説部１０３で作成した解説内容を表示する（ステップＳＴ１０９）。
判定部１０２が、同一運転項目Ｂを再度実行すると判定した場合は、制御部１０５は同一運転項目Ｂのシナリオを再度実行する（ステップＳＴ１１０）。
このようにして、順次前の運転項目についての運転結果のレベルに応じて、次に行う運転項目が順次決まるようにでき、操作者個人毎に最適になるように運転操作の模擬を実現することができる。
【００１１】
上述の例では、同一のシナリオ内で異なる運転項目について、体験結果を判定し、これにより次に行うべき運転項目を選択していたが、１つのシナリオが終了したことにより、次の他のシナリオを選択するときに、体験結果に基づき選択するようにできる。
また、模擬運転終了時に、教官卓１０７の図示しない記憶装置に、操作者を識別する識別番号毎とともに体験結果記録部１０６に記録した模擬運転の体験結果のデータを転送記録しておき、異なる時間に、当該操作者の識別番号を教官が教官卓１０７よりあるいは操作者が模擬運転機器の図示しない入力手段例えばテンキーにより識別番号を入力することにより、その識別番号で読み出せる前記教官卓１０７内の図示しない記憶装置内の体験結果に基づき、次に選択すべき運転項目あるいはシナリオを選択することもできる。
【図面の簡単な説明】
【００１２】
【図１】本発明に係る模擬運転の進行装置の機能ブロック図である。
【図２】本発明に係る模擬運転の進行装置の動作を説明するフローチャートである。
【図３】従来の模擬運転装置の進行方法を示すフロー図である。
【符号の説明】
【００１３】
１０１…模擬運転機器、１０２…判定部、１０３…解説部、１０４…表示部、１０５…制御部、１０６…体験結果記憶部、１０７…教官卓。
【図１】
2006285138.tif 000003
【図２】
2006285138.tif 000004
【図３】
2006285138.tif 000005